(57)【要約】【課題】  本発明は段ボール箱の底面が容易にかつ強固に閉鎖され、ステープルを必要としない上記底面を得ることを目的とする。【解決手段】  段ボール箱１の底面において、対向長辺フラップ２，２のそれぞれ対向短辺フラップ３，３側に、対向短辺フラップの折畳側に向うコ字形切込み４，４を形成し、上記コ字形切込み４，４の外側切込み幅をほぼ段ボール箱１の板幅の長孔５となし、上記対向短辺フラップ３，３のそれぞれ先端に上記コ字形切込み４，４に挿入可能幅の２個の対向方形片６，６を形成し、かつ上記対向方形片６，６の外側にそれぞれ上記板幅長孔５に挿入可能な舌片７を設けてなるノンステープル段ボール箱。【選択図】図１
2008132990.tif 000002
【特許請求の範囲】
【請求項１】
段ボール箱の底面において、対向長辺フラップのそれぞれ対向短辺フラップ側に、
対向短辺フラップの折畳側に向うコ字形切込みを形成し、
上記コ字形切込みの外側切込み幅をほぼ段ボール箱の板幅の長孔となし、
上記対向短辺フラップのそれぞれ先端に上記コ字形切込みに挿入可能幅の２個の対向方形片を形成し、
かつ上記対向方形片の外側にそれぞれ上記板幅長孔に挿入可能な舌片を設けてなるノンステープル段ボール箱。
【請求項２】
対向短辺フラップの基部折曲線から上記コ字形切込みの先端切込みまでの長さより上記対向方形片の先端までの長さが若干長い請求項１記載のノンステープル段ボール箱。
【請求項３】
上記対向方形片の基端部に折線を形成した請求項１又は２記載のノンステープル段ボール箱。
【発明の詳細な説明】
【技術分野】
【０００１】
本発明は少なくとも底板フラップ対接縁にステープル不要で閉鎖容易な段ボール箱に関するものである。
【背景技術】
【０００２】
従来、輸出用又は引越し用段ボール箱の上蓋はテープ又はステープルで閉塞すると輸出用では被梱包物のチェックができず、又引越し先で開包サービスを行うことができない。
【０００３】
そのため図７に示すように４方を囲繞する外周壁の各辺に突設したフラップで上蓋と下蓋を構成する段ボール箱において、前記上蓋を構成するフラップのうち、対向する一対の第１フラップａの両側に差込孔ｂ，ｂを設ける一方、これら第１フラップａと隣接する一対の第２フラップｃに前記差込孔ｂに差し込む一対の差込部ｄ，ｄを設けるとともに、少なくともいずれか一方の差込部ｄに、前記差込孔ｂの縁を越えて前記差込部ｄの差込方向と略直交する方向に突出する突片ｅを設け、
前記突片ｅを差込部ｄと重畳するように折り返して前記差込部ｄを差込孔ｂに差し込んで閉鎖するようにした段ボール箱が開発された（例えば特許文献１）。
【０００４】
【特許文献１】特開２００３−２００２７号公報
【発明の開示】
【発明が解決しようとする課題】
【０００５】
しかし図７に示される従来の第１のフラップａの両側に差込孔ｂが穿設され、該差込孔ｂは該フラップａの長縁（対接縁）ｆと長交する差込用長孔であって該差込孔ｂには必要な幅ｔがあって幅ｔより長さが長く幅ｔのない切込みとは異なる。
【０００６】
そして上記差込孔ｂの一端に破断ラインＬを形成し、該破断ラインＬとは１個の切込み線ではなく切断部ｓと非切断部ｓ’とが交互にミシン目状に連続したラインであって手動で引裂いて破断するものである。
【０００７】
従って上記第１フラップａと直交する方向に折曲げる第２フラップｃに形成した差込部ｄ及びそれと直交する突片ｅを第１フラップａの差込孔ｂから第１フラップａの下に挿入するに際し、先ず切断部ｓと非切断部ｓ’とよりなる破断ラインＬを引き裂き、その引裂き破断ラインＬに上記突片ｅを上から下に挿入した後、第２フラップｃの差込部ｄを第１フラップａの差込孔ｂ上面から下面に挿入する必要があった。
【０００８】
その際差込孔ｂと破断ラインＬとによって３角形切欠片Ｇを形成し、該３角形切欠片Ｇを押圧して上記突片ｅ及び差込部ｄを挿入する必要があり、挿入に手間と時間を要し、かつ上記３角形切欠片Ｇと門形差込部ｄとの不充分重合及び幅ｔのある差込孔ｂと門形差込部ｄとの係合とは上記幅ｔのため開き易いという問題があった。
【０００９】
本発明は第１フラップと第２フラップとの係合作業容易で、しかも強固に閉鎖される底面を有するノンステープル段ボール箱を得ることを目的とする。
【課題を解決するための手段】
【００１０】
上記の目的を達成するため本発明は
第１に段ボール箱の底面において、対向長辺フラップのそれぞれ対向短辺フラップ側に、対向短辺フラップの折畳側に向うコ字形切込みを形成し、上記コ字形切込みの外側切込み幅をほぼ段ボール箱の板幅の長孔となし、上記対向短辺フラップのそれぞれ先端に上記コ字形切込みに挿入可能幅の２個の対向方形片を形成し、かつ上記対向方形片の外側にそれぞれ上記板幅長孔に挿入可能な舌片を設けてなるノンステープル段ボール箱、
第２に対向短辺フラップの基部折曲線から上記コ字形切込みの先端切込みまでの長さより上記対向方形片の先端までの長さが若干長い上記第１発明記載のノンステープル段ボール箱、
第３に上記対向方形片の基端部に折線を形成した上記第１又は第２発明記載のノンステープル段ボール箱、
によって構成される。
【００１１】
従って上記長辺フラップに形成したコ字形切込みの外側の長孔内に上記短辺フラップの上記方形片の外側の舌片を挿入する。
【００１２】
その状態で該方形片を手動で強く圧下することにより、上記長辺フラップに形成したコ字形切込みを圧下し、上記方形片の先端部は上記短辺フラップの段ボール紙の弾力によって上記長辺フラップの下面に重合状態に進入し係合すると同時に上記舌片もそれに伴って該下面に進入し、長辺フラップの下面に係合する。
【発明の効果】
【００１３】
本発明は上述のように構成したので上記短辺フラップに形成した上記方形片及びその外側に形成した舌片が上記長辺フラップに形成したコ字形切込みの上面から該長辺フラップの下面に迅速容易に重合し、段ボール箱の底辺を開放困難に強固に逆止状にかつノンステープル状に閉塞し得る効果がある。
【発明を実施するための最良の形態】
【００１４】
長方形段ボール箱１の底面を図１〜４に示すように上向きとなし、該底面において、対向長辺フラップ２，２のそれぞれ両側に対向短辺フラップ３，３を設ける。
【００１５】
上記長辺フラップ２，２の対向短辺フラップ３，３の折曲線３’，３’側（両側）には図１に示すように該折曲線３’，３’側に向うコ字形切込み４，４を形成する。
【００１６】
上記コ字形切込み４，４の外側切込みの幅を上記段ボール箱１の板幅（板厚）にほぼ等しい長孔５となす。
【００１７】
上記短辺フラップ３，３のそれぞれ先端には２個のそれぞれ対向する方形片６，６を突設し、該方形片６，６を上記長辺フラップ２，２に形成した上記コ字形切込み４，４にほぼ同一幅に挿入することができる。
【００１８】
上記方形片６，６にはそれぞれ外側に舌片７，７を横向に形成し、該舌片７，７を折線７’に沿って弾性に抗して折曲げて上記板幅（板厚）長孔５，５に挿入すると該舌片７，７は弾性によって外側に開き図４に示すように長辺フラップ２，２の下面に拡がる。
【００１９】
この状態において上記方形片６，６をそれぞれ上記コ字形切込み４，４の上面４”，４”上に接し、手で下方に押圧することによって、上記方形片６，６及び舌片７，７が上記コ字形切込み４，４から長辺フラップ２，２下に挿入されて重合する。
【００２０】
その後収容物Ｓによってコ字形切込み上面４”，４”、方形片６，６及び舌片７，７を収容物Ｓの下面が圧下し段ボールの底面は図４に示すように固定され、閉鎖状態を保持する。（図４にその状態を示す）
【００２１】
上記短辺フラップ３の基部折曲線３’から上記方形片６の先端までの長さＷは該折曲線３’からコ字形切込み４までの長さｗより若干長く、その差はＨ（Ｗ−ｗ）は長辺フラップ２の下面に重合又は係合し、両フラップ２，３は閉塞された状態となる。
【００２２】
上記重合又は係合に際し、上記方形片６の基端部に形成した折線６’から若干屈曲して方形片６を長辺フラップ２の下部に重合させる。
【００２３】
尚図中８，９は段ボール箱１の側板、１１，１２は上面フラップ、４’はコ字形切込み４の基部折線である。
【産業上の利用可能性】
【００２４】
本発明では底板が強固に閉塞されるため、底板の対向長辺２，２の対接縁２’，２’に
ステープルを施す必要がなく安全な段ボール箱１の底板が得られるものである。
【図面の簡単な説明】
【００２５】
【図１】本発明のノンステープル段ボール箱の底面を開いた状態を示す斜視図である。
【図２】図１の操作状態を示す斜視図である。
【図３】閉鎖長辺フラップ及び開放短辺フラップを示す平面図である。
【図４】上記長短両フラップを閉塞した状態を示す平面図である。
【図５】本発明のノンステープル段ボール箱の平面図である。
【図６】図５の一部拡大平面図である。
【図７】従来の段ボール箱の一部展開図である。
【符号の説明】
【００２６】
１          段ボール箱
２          対向長辺フラップ
３          対向短辺フラップ
４          コ字形切込み
５          長孔
６          対向方形片
７          舌片
【図１】
2008132990.tif 000003
【図２】
2008132990.tif 000004
【図３】
2008132990.tif 000005
【図４】
2008132990.tif 000006
【図５】
2008132990.tif 000007
【図６】
2008132990.tif 000008
【図７】
2008132990.tif 000009